(57)【要約】【課題】一般的な加湿装置は設置された室内全体の加湿を対象とするために、ドライアイ症状を訴える画像モニター使用者の目に適切な室内空気の加湿を行うためには長い時間がかかり、また多くの加湿水とこの多量の加湿水の蒸発に要する多くの電力を消費するために、画像モニター使用者の目に範囲を集中し短時間により省エネルギーで加湿が行える画像モニター用加湿装置を提供することを目的とする。【解決手段】画像を表示する画像モニター装置本体１に画像モニター使用者の目の方向に対して加湿した空気を送風する加湿手段２を備えることで画像モニター使用者の目の周辺に範囲を絞って加湿した空気が送風されるために、少量の加湿水とより少ない加湿に要する電力で短時間に画像モニター使用者の目の加湿を行うことでドライアイの症状を効果的に緩和できる効果が得られる。【選択図】図３
2006292197.tif 000002
【特許請求の範囲】
【請求項１】
画像を表示する画像モニター装置本体に画像モニター使用者の目の方向に対して加湿した空気を送風するようにする加湿手段を備えた画像モニター用加湿装置。
【請求項２】
画像モニター装置本体に対して加湿手段を着脱自在としたことを特徴とする請求項１記載の画像モニター用加湿装置。
【請求項３】
加湿手段の送風する加湿空気を画像モニター装置本体が発する熱を利用して生成させることを特徴とする請求項１記載の画像モニター用加湿装置。
【請求項４】
加湿手段に太陽電池を備え、この太陽電池の発生する電力を利用して加湿送風を行うことを特徴とする請求項１記載の画像モニター用加湿装置。
【請求項５】
加湿手段に加湿送風の方向を画像モニター使用者の目に向けて直接的に行わず目の周辺領域に対して送風を行うように制限するための風向制御手段を備えたことを特徴とする請求項１記載の画像モニター用加湿装置。
【請求項６】
加湿手段にモニター使用者の存在を感知する人体感知手段を備え、この人体感知手段が人体の存在を感知したときに加湿手段は加湿送風を行うように構成したことを特徴とする請求項１記載の画像モニター用加湿装置。
【請求項７】
加湿手段は加湿送風の風速を揺らがせることを特徴とする請求項１記載の画像モニター用加湿装置。
【請求項８】
加湿手段の送風空気を周囲空気中に含まれる水分の密度を高める水分密度上昇手段により高湿度化させることを特徴とする請求項１記載の画像モニター用加湿装置。
【請求項９】
加湿手段に画像モニター使用者に対して瞬きのタイミングを伝える瞬きタイミング指示手段を備えたことを特徴とする請求項１記載の画像モニター用加湿装置。
【請求項１０】
加湿手段の加湿水保持部分を画像モニター装置本体の設置面に接近させて配置したことを特徴とする請求項１記載の画像モニター用加湿装置。
【発明の詳細な説明】
【技術分野】
【０００１】
本発明は、画像モニター利用者の目の乾燥を緩和するための画像モニター用加湿装置に関する。
【背景技術】
【０００２】
近年、パーソナルコンピューターの普及や、会社やオフィスで業務にコンピューターを活用することが一般化してきているが、このコンピューターの画像モニターを利用する使用者は画像内容を把握するために長時間画像モニターを見つめている場合が多く、表示内容を凝視することで、瞬き回数が減り、目を開いている時間が長くなるために、これに伴い眼球を覆う水分が蒸発し、一般的に言うドライアイの症状を訴える人が増加傾向にある。また、これらコンピューターを利用する一般家庭の居室やオフィス等の空気湿度環境も多くのＯＡ機器の発生する熱や温度調節を行う空調機の影響で乾燥化の傾向にあり、ますます画像モニター使用者のドライアイ傾向に拍車を掛けている状況にあり、このようなドライアイを改善させるための空気の加湿に対する要求はますます高まっている。
【０００３】
この種の画像モニター使用者のドライアイを改善するための加湿装置は前例が無く、画像モニターを利用している室内空間全体を加湿する加湿機の利用が一般的であった（例えば、特許文献１参照）。
【０００４】
以下、その加湿装置について図２２を参照しながら説明する。
【０００５】
図に示すように装置の躯体を成す本体１０１の内部に加湿水を溜める水槽１０２と加湿水を蓄えて水槽１０２に加湿水を供給する給水用水タンク１０３と水槽１０２に溜まった加湿水に一部を浸し加湿水を保水する気化フィルター１０４とこの気化フィルター１０４の中央部に気化フィルター１０４を回転させるための中心軸１０５と外気を導入し気化フィルター１０４に対して風を吹き付けて送風する送風装置１０６とこの送風装置１０６からの送風空気を加熱するヒーター１０７と送風装置１０６から送風されヒーター１０７と加湿フィルター１０４を通過した空気を本体１０１の外部に送り出す吹出口１０８からなり、給水用水タンク１０３から水槽１０２に供給された加湿水は中心軸１０５に対して回転する気化フィルター１０４により保水され、この気化フィルター１０４に保水された加湿水は送風装置１０６から送風されヒーター１０７により加熱された送風空気により気化フィルター１０４から蒸発し、この加湿水の蒸発により送風空気は加湿され、この加湿された送風空気は吹出口１０８から本体１０１の外部に吹き出すこととなりこれにより本体１０１の設置された周囲の空気を加湿するものであった。
【特許文献１】特開２００５−３７０１１号公報
【発明の開示】
【発明が解決しようとする課題】
【０００６】
このような従来の一般的な加湿装置においては加湿装置が設置された室内全体の加湿が対象となるために、ドライアイ症状を訴える画像モニター使用者の目に適切な室内空気の加湿状態に乾燥した空気を加湿するためには長い時間がかかり、また多くの加湿水とこの多量の加湿水を蒸発させるために多くの電力を消費する課題があった。
【０００７】
本発明は、このような従来の課題を解決するものであり、画像モニター使用者の目に範囲を集中して短時間に、また少ない加湿水でより省エネルギーの加湿を行うことで効果的に目の乾燥を防ぎドライアイの症状を緩和できる画像モニター用加湿装置を提供することを目的としている。
【課題を解決するための手段】
【０００８】
本発明の画像モニター用加湿装置は上記目的を達成するために、画像を表示する画像モニター装置本体に画像モニター使用者の目の方向に対して加湿した空気を送風するようにする加湿手段を備えたものである。
【０００９】
この手段により画像モニター使用者の目に範囲を絞って加湿した空気が送風されることとなる。
【００１０】
また、画像モニター装置本体に対して加湿手段を着脱自在としたものである。
【００１１】
この構成により画像モニター装置本体に対して加湿手段は着脱自在となる。
【００１２】
また、加湿手段の送風する加湿空気を画像モニター装置本体が発する熱を利用して生成させるようにしたものである。
【００１３】
この構成により画像モニター装置本体が発する熱により加湿手段は加湿水を気化することとなる。
【００１４】
また、加湿手段に太陽電池を備え、この太陽電池の発生する電力を利用して加湿送風を行ものである。
【００１５】
この構成により加湿手段は太陽電池の発生する電力を使用して加湿送風を行うものである。
【００１６】
また、加湿手段に加湿送風の方向を画像モニター使用者の目に向けて直接的に行わず目の周辺領域に対して送風を行うように制限するための風向制御手段を備えたものである。
【００１７】
この手段により加湿手段の加湿送風の方向は画像モニター使用者の目の周辺領域に対して送風されるものである。
【００１８】
また、加湿手段に画像モニター使用者の存在を感知する人体感知手段を備え、この人体感知手段が人体の存在を感知したときに加湿手段は加湿送風を行うように構成したものである。
【００１９】
この手段により加湿手段は人体感知手段が人体の存在を感知したときのみに加湿送風を行うものである。
【００２０】
また、加湿手段は加湿送風の風速を揺らがせるものである。
【００２１】
この構成により画像モニター使用者の目の方向に対しての風速の揺らいだ加湿空気が送風されることとなる。
【００２２】
また、加湿手段の送風空気を周囲空気中に含まれる水分の密度を高める水分密度上昇手段により高湿度化させるものである。
【００２３】
この手段により周囲空気中に含まれる水分を凝集させた水分により送風空気は加湿されることとなる。
【００２４】
また、加湿手段に画像モニター使用者に対して瞬きのタイミングを伝える瞬きタイミング指示手段を備えたものである。
【００２５】
この手段により瞬きのタイミングが画像モニター使用者へ伝達されることとなる。
【００２６】
また、加湿手段の加湿水保持部分を画像モニター装置本体の設置面に接近させて配置したものである。
【００２７】
この構成により画像モニター装置本体の設置面に接近した位置に加湿手段の加湿水保持部分は配置されることとなる。
【発明の効果】
【００２８】
本発明によれば画像モニター装置本体に備えた加湿手段から画像モニター使用者の目周辺部の狭い範囲に対して加湿した空気が送風されるようにするために、少量の加湿水とより少ない加湿に要する電力で短時間に画像モニター使用者の目の加湿を行うことでドライアイの症状を効果的に緩和できる画像モニター用加湿装置を提供できる。
【００２９】
また、画像モニター装置本体に対して加湿手段を着脱自在としたものであるために、加湿手段を持たない画像モニター装置本体に対しても後付けで加湿手段を取り付けて使用することができる画像モニター用加湿装置を提供できる。
【００３０】
また、加湿手段は画像モニター装置本体が発する熱を利用して加湿水から加湿空気を生成するために、加湿水を気化するための商用電源等からの電力供給を削減できるため、より省エネルギーの加湿が行える画像モニター用加湿装置を提供できる。
【００３１】
また、加湿手段は備えた太陽電池の発生する電力により加湿送風を行うために商用電源等からのエネルギーが不要となり、より省エネルギーの加湿が行える画像モニター用加湿装置を提供できる。
【００３２】
また、加湿手段の加湿送風の方向は、備えた風向制御手段により画像モニター使用者の目に対して直接的に送風されず目の周辺領域に対して送風されるために、送風空気が目に直接的に吹き付けることで目の乾燥が促進されることを緩和できる画像モニター用加湿装置を提供できる。
【００３３】
また、加湿手段は備えた人体感知手段が人体の存在を感知したときに加湿送風を行うために、画像モニター使用者が不在で画像モニター装置を使用していないときには加湿運転を行わない、より省エネルギーの画像モニター用加湿装置を提供できる。
【００３４】
また、加湿手段は加湿送風の風速を揺らがせることで画像モニター使用者に対して一定風速の風を吹き付けないために、一定風速の風が吹き付けることに対して感じられる画像モニター使用者の違和感をより緩和した画像モニター用加湿装置を提供できる。
【００３５】
また、加湿手段は備えた水分密度上昇手段により周囲空気中に含まれる水分を凝集させて送風空気を高湿度化させるために、加湿水の供給を不要とした画像モニター用加湿装置を提供できる。
【００３６】
また、加湿手段は備えた瞬きタイミング指示手段により画像モニター使用者に瞬きのタイミングを伝えることで画像モニター使用者に対して瞬きの実施を促すために、画像モニター使用者の目の乾燥をより緩和できる画像モニター用加湿装置を提供できる。
【００３７】
また、加湿手段の加湿水保持部分を画像モニター装置本体の設置面に接近させて配置することで加湿水保持部分から加湿水が漏れる不具合が発生した場合においても画像モニター装置に対する加湿水の進入を防ぐことができるため、より安全に加湿送風を行える画像モニター用加湿装置を提供できる。
【発明を実施するための最良の形態】
【００３８】
本発明の請求項１記載の発明は、画像を表示する画像モニター装置本体に画像モニター使用者の目の方向に対して加湿した空気を送風する加湿手段を備えたものであり、画像モニター使用者の目の方向に対して範囲を絞り加湿した空気が送風されるという作用を有する。
【００３９】
以下、本発明の実施の形態について図面を参照しながら説明する。
【００４０】
（実施の形態１）
図１から図５に示すように、画像を表示する画像モニター装置本体１の外郭上部の中央に加湿手段２は配設され、この加湿手段２は中空形状の加湿機外郭３の内部に加湿水を溜める加湿槽４と、この加湿槽４に溜まった加湿水に浸る位置に配置され加湿水を気化させるための超音波振動素子５と、この超音波振動素子５により気化された加湿水により加湿された空気を送風するための送風装置６と、前記超音波振動素子５と送風装置６の動作を制御する制御手段７を備える。また、加湿機外郭３の一端には送風装置６の送風空気を加湿機外郭３の内部に導入するための吸気開口８と、この吸気開口８と対向する加湿機外郭３のもう一端には加湿された空気を加湿機外郭３の外部に放出するための送風開口９を設けている。加湿槽４への加湿水の給水は加湿機外郭３の外部から取り外し自在に配設され、内部に加湿水を蓄える給水タンク１０により行う。また、加湿槽４の内部には加湿水の有無を検出するための加湿水検出手段１１を配置している。加湿水検出手段１１は加湿水に対し浮力を持つフロート１２と、このフロート１２を加湿槽４の内部の規定位置に可動状態で軸着するフロート軸１３と、フロート１２の内部に埋め込まれた磁石１４と、この磁石１４の磁力により接点が閉ざされる加湿槽４の壁面に固設されたリードスイッチ１５から構成され、このリードスイッチ１５の接点の閉ざされた状態を在水状態として電気信号の形態で制御装置７に対して出力し加湿水の有無を制御装置７に伝達するものである。加湿機外郭３の画像モニター装置本体１の外郭上部と接する位置には画像モニター装置本体１に加湿機外郭３を取り外し自在に掛着するための固定凸部１６を固設している。
【００４１】
ここで、加湿機外郭３の一端に設けられた送風開口９は画像モニター装置本体１に加湿手段２を取り付けた状態において画像モニター装置本体１の画像表示面に対してほぼ垂直な方向に風を吹き出すように開設したものであり、画像モニターを見る画像モニター使用者と画像モニター装置本体１の一般的な間隔において画像モニター使用者の目の位置を中心としてほぼ顔面の大きさの範囲に送風が行えるように設定するものである。
【００４２】
ここで、給水タンク１０は一端に設けられた開口部が加湿槽４中の加湿水の水面に浸かるように挿着し配置される構成であり、この加湿水の水面が加湿動作の進行に伴い低下し、給水タンク１０は開口部と水面の間に隙間が生じると給水タンクの内部に空気が侵入し、この進入により開口部と水面間の隙間が解消されるまでの間、給水タンクから加湿槽４に対し加湿水が供給される、一般的な自動給水方式で構成したものである。
【００４３】
ここで、超音波振動素子５は高周数電圧を印加すると超音波振動を発生するＰＺＴなどのいわゆる圧電セラミック振動子を利用するものであり、微細な超音波振動により加湿水を空気中に微細化分散させ加湿するものであり、この加湿水の微細化分散による気化に適した共振周波数約１．６ｋＨｚの素子を使用したものである。
【００４４】
ここで、送風装置６は直流あるいは交流の電圧を印加すると回転動力を発生する一般的な電動機モーターで駆動されるものである。
【００４５】
制御手段７は加湿装置全体の動作を制御するマイクロコンピューター１７と、このマイクロコンピューター１７で制御され超音波振動素子５を駆動する高周波電圧発生回路１８と、同じく送風装置６を駆動する送風装置駆動回路１９と、これらマイクロコンピューター１７と高周波電圧発生回路１８と送風装置駆動回路１９に電力を供給する電源回路２０から構成される。
【００４６】
ここで、マイクロコンピューター１７は中央演算装置（ＣＰＵ）、入出力装置、アナログ・デジタル変換入力装置（Ａ／Ｄ）、リードオンリーメモリー（ＲＯＭ）、リード・ライトメモリー（ＲＡＭ）を内蔵したいわゆる１チップマイクロコンピューターを使用するものであり、加湿水検出手段１１から出力されるリードスイッチ１５の接点の閉ざされた状態の電気信号を入力として受けたときには加湿槽４内部の加湿水の存在を判断して加湿水の存在を判断した状態においては高周波電圧発生回路１８と送風装置駆動回路１９に対し動作電圧信号を出力して超音波振動素子５と送風装置６を駆動させて加湿送風を実施するようにプログラムしたものである。
【００４７】
ここで、高周波電圧発生回路１８は電源回路２０の電力を変換して超音波振動素子５を構成する圧電セラミック振動子の共振周波数の高周波電圧を発生する一般的な自励発振回路で構成したものである。
【００４８】
ここで、送風装置駆動回路１９は電源回路２０の電力を送風装置６に対して入り切り可能とするリレーなどの一般的なスイッチ素子で構成したものである。
【００４９】
次にこのように構成した加湿手段２の動作について説明する。
【００５０】
画像モニター装置１の外郭上部に加湿手段２が加湿機外郭３に固設された固定凸部１６で掛着して設置された状態において加湿機外郭３の内部の加湿槽４に対し加湿水を蓄えた給水タンク１０が挿着されると給水タンク１０より加湿水が加湿槽４に供給される。加湿槽４に加湿水が供給されると加湿槽４の内部の水位上昇に伴い加湿水検出手段１１を構成するフロート１２が軸着されたフロート軸１３を中心に回動して浮上する。このフロート１２の浮上に伴い加湿槽４の壁面に固設されたリードスイッチ１５にフロート１２に内蔵された磁石１４が接近すると磁石１４の磁力でリードスイッチ１５が閉ざされ制御手段７を構成するマイクロコンピューター１７に対して加湿水検出手段１１から加湿槽４内部の加湿水の在水状態が電気信号の形態で出力され、この出力を受けてマイクロコンピューター１７は加湿槽４の加湿水の在水状態を判断する。
【００５１】
マイクロコンピューター１７は加湿槽４の加湿水の在水状態を判断すると高周波電圧発生回路１８および送風装置駆動回路１９を介して超音波振動素子５と送風装置６に電源回路２０からの電力を供給して起動させる。超音波振動素子５が起動されると超音波振動素子５は超音波振動を発生しこの超音波振動により加湿槽４の中の加湿水は空気中に微細化して分散され加湿機外郭３の内部空間の空気を加湿し、また送風装置６が起動されると加湿機外郭３の一端に設けられた吸気開口８より加湿機外郭３の内部に外気が導入され加湿機外郭３の内部の加湿された空気を加湿機外郭３の吸気開口８に対向する一端に開設された送風開口９の方向に押し出すことなり、よって送風開口９からの加湿した空気が吹き出すこととなる。
【００５２】
ここで、送風開口９は画像モニター装置本体１に加湿手段２が取り付けられた状態で画像モニター装置本体１を利用している画像モニター使用者の目の方向に向けて開設しているために送風開口９から吹き出された加湿された空気は画像モニター使用者の目の方向に向かい送風されることとなる。
【００５３】
なお、ここでは画像モニター装置１の外郭上部に加湿手段２が加湿機外郭３に固設された固定凸部１６で掛着して設置する構成を示しているが画像モニター装置１に直接的に加湿手段２を内蔵して構成してもその作用効果に差異が無いことは言うまでもない。
【００５４】
なお、ここでは画像モニター装置１の外郭上部に加湿手段２を掛着するための固定凸部１６は加湿機外郭３に固設した構成を示しているが、加湿機外郭３に対して可動自在に固定する構成とすることで、画像モニター装置１への掛着時の位置調整や各種サイズの異なる画像モニター装置１に加湿手段２を取り付けて使用できるなど更に活用性を向上させることもできる。
【００５５】
なお、加湿手段２に画像モニター装置１の画像表示方向に位置する画像モニター使用者を撮影する画像入力装置と加湿機外郭３の一端に設けられた送風開口９の送風吹き出し方向を変更できる電動ルーバーを備え、前期画像入力装置が撮影した画像モニター使用者の映像から形状認識により目の位置を判断して認識し、この認識された画像モニター使用者の目の方向に送風開口９から吹き出す風の方向を電動ルーバーを動作させて修正し微調整することで、より的確に加湿送風を行うこともできることは言うまでも無い。
【００５６】
また、図６および図７に示すように加湿槽４の側面の画像モニター装置本体１と対向する面に複数の垂直方向のフィンを有したヒートシンク２１を固設して、さらに加湿槽４の内部でヒートシンク２１の固設面に対向する内壁面に吸湿性フィルター２２を加湿水に浸る状態で貼設して吸湿性フィルター２２に吸水された加湿水をヒートシンク２１で奪った画像モニター装置本体１の発する熱で蒸発させることで加湿機外郭３の内部空間の空気を加湿することもできる。
【００５７】
ここで、加湿槽４およびヒートシンク２１は熱伝導性の高い材料で構成するものでありアルミニュームや銅合金を基材として作成したものである。
【００５８】
ここで、吸湿性フィルター２２は微細な繊維をシート状に整形して毛細管現象による吸水性が高く、かつ耐腐食性の高い素材で構成するものであり、例えばポリエステル系繊維のシートを裁断し形成したものを加湿槽４の貼設面に対して密着するように網状板材で挟み込んで圧着し配置するものである。
【００５９】
また、図８および図９に示すように加湿手段２の加湿機外郭３の天面に太陽電池２３を載設して、この太陽電池２３の発生する電力を制御手段７の電源回路２０の入力電力として供給することで、太陽電池２３の発生した電力により加湿送風を行うこともできる。
【００６０】
ここで、太陽電池２３は一般家庭の居室や業務用のオフィスなどの室内での使用を考慮して蛍光灯の発する光においても発電能力の高いアモルファスシリコン系のものを用いて構成したものである。
【００６１】
なお、太陽電池２３の発生電力が加湿送風全体に必要な電力量に満たないときは超音波振動素子５、または送風装置６のどちらかのみに太陽電池２３の供給電力を使用し、その他は商用電源から供給するように電源回路２０を構成することで商用電源の消費を低減したより省エネルギーの加湿送風が行えることは言うまでも無い。
【００６２】
また、送風空気が直接目に当たると眼球表面の水分の蒸発が促進され易くなるために図１０および図１１に示すように加湿機外郭３の送風開口９に送風開口９から吹き出す加湿空気が画像モニター使用者の目に直接的に吹き付けず、目の周辺領域に送風されるように制限する風向制御手段２４を配置することで、より画像モニター使用者の目の乾燥を緩和することができる。
【００６３】
ここで、風向制御手段２４は加湿機外郭３の送風開口９の中央部分を塞ぐように配置された中央風路抑制板２５と、この中央風路抑制板２５の周囲に隙間を開けて風路を構成するように配置した外周風路抑制板２６からなり、この中央風路抑制板２５と外周風路抑制板２６に挟まれ上下に２分割された送風開口９の風路を通して加湿送風方向を２分岐するものであり、２分岐された加湿送風の方向は画像モニター使用者の目の周辺領域に対して吹き付けるように設定して構成したものである。
【００６４】
なお、中央風路抑制板２５を送風開口９内に固設せず加湿送風の吹き出し方向を上下に調整できるように可動自在に固定して実際の使用に際して画像モニター使用者が送風方向の微調整を行えるようにすることで、さらに最適な使用環境を設定できるようになることは言うまでもない。
【００６５】
また、図１２から図１４に示すように加湿機外郭３の送風開口９の開口面に送風方向の画像モニター使用者の存在を感知する人体感知手段２７を備え、この人体感知手段２７が人体の存在を感知したときに加湿手段２は加湿送風を行うように構成することで画像モニター使用者が実際に画像モニターを使用しているときのみに加湿手段２は加湿送風を行うようにすることができる。
【００６６】
ここで、人体感知手段２７は赤外線発光ダイオード素子２８と赤外線受光フォトトランジスター２９を組み合わせた投光反射受光型の人体感知方式で構成したものであり、赤外線発光ダイオード素子２８の発した赤外線光が感知対象となる画像モニター使用者で反射され、この反射された赤外線光を赤外線受光フォトトランジスター２９で受光して、この赤外線光の受光により赤外線受光フォトトランジスター２９は制御手段７を構成するマイクロコンピューター１７に電圧信号を出力することでマイクロコンピューター１７はこの赤外線受光フォトトランジスター２９からの電圧信号を受けたときには人体の存在判定を確定し加湿送風を行うようにプログラミングしたものである。
【００６７】
なお、赤外線発光ダイオード素子２８の発光強度と赤外線受光フォトトランジスター２９との配置間隔および角度は実際の画像モニターを使用する画像モニター使用者と画像モニター間の距離に基づき実験的に決定するものであるが、画像モニターの画像面に対して６０ｃｍ以内程度の間隔に存在する人体を感知できるように設定することで誤感知動作を防止した画像モニター使用者の感知に基づいた加湿送風の自動運転を行うことができる。
【００６８】
また、図１５および図１６に示すように送風装置６の駆動動力源を直流電動機３０とし、さらに制御手段７を構成する送風装置駆動回路１９をマイクロコンピューター１７の制御により出力電圧を変更可能とした可変直流電源３１とすることで加湿送風時にマイクロコンピューター１７で可変直流電源３１の出力電圧を変化させて直流電動機３０の回転速度を変化させて加湿送風の風速を揺らがせることで画像モニター使用者が常に一定の送風を受けることで感じる違和感を緩和させることもできる。
【００６９】
ここで、可変直流電源３１は一般的な電圧制御型スイッチング電源で構成するものであり、またマイクロコンピューター１７の可変直流電源３１の制御出力をＤ／Ａ変換電力出力型の設定とすることでマイクロコンピューター１７に組み込むソフトウェアーで直接的に可変直流電源３１の出力電圧を変更できるように構成するものである。
【００７０】
ここで、マイクロコンピューター１７で制御し揺らがせる送風装置６の送風風速は図１６に示すように風速強度に対して送風持続時間が反比例する一般的に言う１／ｆ揺らぎの理論に基づいた送風を行うようにプログラミングするものであり、人間が心地よさを感じる０ｍから１ｍ／秒の範囲で加湿送風が揺らぐように設定したものである。
【００７１】
また、図１７および図１８に示すように加湿機外郭３の内部に空気中の水分の密度を高めることで加湿空気を高湿度化させる水分密度上昇手段３２を配設することで加湿空気を生成するための加湿水の供給を不要とすることもできる。
【００７２】
ここで、水分密度上昇手段３２は直流電流を印加することで熱電効果より対向する２面間で熱降下を発生し吸排熱を行ういわゆるペルチェ素子３３を利用したものであり、このペルチェ素子３３の吸熱面側に熱交換を行う冷却フィン３４を貼設して、加湿機外郭３の内部側に向けて配置し、またペルチェ素子３３の排熱面側には放熱を行うための排熱フィン３５を貼設して加湿機外郭３の外部に露出させ構成したものであり、制御手段７を構成するマイクロコンピューター１７が加湿送風の実施を判断したときには水分密度上昇手段駆動回路３６を介して電源回路２０からの電力をペルチェ素子３３に供給することでペルチェ素子３３の吸排熱効果を発動して冷却フィン３４の温度を下げることで冷却フィン３４の周囲の空気、すなわち加湿機外郭３の内部の空気を冷却することで空気中に含まれる水分を凝集させ加湿空気を生成するものである。
【００７３】
ここで、冷却フィン３４および排熱フィン３５は熱伝導性の高い材料で構成するものであり、アルミニュームや銅合金を基材として効率的な熱交換が可能なように複数のフィンを加工し作成したものである。
【００７４】
なお、マイクロコンピューター１７が加湿送風の実施を判断したときには冷却フィン３４の周辺の空気は送風装置６の送風により加湿機外郭３の一端に設けられた吸気開口８から導入される加湿機外郭３の周囲の空気と常に置換されるために加湿送風実施中は常時この加湿機外郭３の周囲の空気に含まれる水分が加湿空気を生成するための加湿水の供給源となる。また、加湿機外郭３の内部は送風装置６の送風作用により加湿機外郭３の周囲の空気が加圧された状態で導入され、加湿機外郭３の周囲の空気に対して密度が高くなるために、この高まった空気密度の差に含まれる水分が加湿機外郭３の内部で生成される加湿空気の湿度上昇分として利用するものである。
【００７５】
また、図１９および図２０に示すように加湿機外郭３の送風開口９の開口面に画像モニター使用者へ瞬きのタイミングを伝える瞬きタイミング指示手段３７を備えることで画像モニターを利用している画像モニター使用者に対して瞬きの実施を促すこともできる。
【００７６】
ここで、瞬きタイミング指示手段３７は電流を通電することにより発光する可視光発光ダイオード３８の光を画像モニター使用者に対して投光し、刺激することで画像モニター使用者に対して瞬きのタイミングを伝えるようにしたものであり、この可視光発光ダイオード３８を制御手段７を構成するマイクロコンピューター１７で通電制御してマイクロコンピューター１７が加湿送風の実施を判断している状態においては可視光発光ダイオード３８を点滅させるように構成したものである。
【００７７】
なお、このマイクロコンピューター１７で可視光発光ダイオード３８を点滅させる周期は一般的な人間の自然な瞬きの間隔に準じた値に基づいて設定するものであり、５秒から２０秒間隔で約１秒間の点灯を繰り返し実行するようにプログラムしたものであり、また点灯周期を５秒から２０秒の間隔の間でランダムに変化させて、単調な投光の繰り返しに対する画像モニター使用者の慣れを防止することで、より効果的に瞬きのタイミングの伝達が行えるように設定するものである。
【００７８】
また、図２１に示すように加湿機外郭３の内部の加湿水保持部分を成す給水タンク１０と加湿槽４の配置位置を画像モニター装置１の設置面に接近して配置する構成とすることで給水タンク１０や加湿槽４から加湿水が漏れる不具合が発生した場合においても画像モニター装置１に対する加湿水の進入を防ぐことができるため、より安全に加湿送風を行うことができる。このとき制御手段７の配置位置も給水タンク１０と加湿槽４の上方に配置することで制御手段７に対する加湿水漏れの影響も防止できるため、より安全に加湿送風を行うことができる。
【産業上の利用可能性】
【００７９】
使用者の目の方向に加湿空気を送ることにより、容易にドライアイの症状を緩和・改善でき、ドライアイ症状を訴えやすい機器等のモニターあるいは運転等の用途・分野にも適用できる。
【図面の簡単な説明】
【００８０】
【図１】本発明の実施例１の画像モニター用加湿装置を示す側面視図
【図２】同画像モニター用加湿装置の正面図
【図３】同画像モニター用加湿装置の側視断面図
【図４】同画像モニター用加湿装置の加湿槽部分の側視断面図
【図５】同画像モニター用加湿装置の構成を示したブロック図
【図６】同画像モニター用加湿装置のヒートシンクの配置を示す側面図
【図７】同画像モニター用加湿装置のヒートシンクと吸水性フィルターの配置示す加湿槽部分の斜視断面図
【図８】同画像モニター用加湿装置の太陽電池の搭載を示す側視断面図
【図９】同画像モニター用加湿装置の太陽電池搭載時の構成を示したブロック図
【図１０】同画像モニター用加湿装置の風向制御手段の配置を示した側視断面図
【図１１】同画像モニター用加湿装置の風向制御手段の配置を示した正面図
【図１２】同画像モニター用加湿装置の人体感知手段の配置を示した正面図
【図１３】同画像モニター用加湿装置の人体感知手段の概略構成を示した構成図
【図１４】同画像モニター用加湿装置の人体感知手段の構成を示したブロック図
【図１５】同画像モニター用加湿装置の加湿送風風速変更時の構成を示したブロック図
【図１６】同画像モニター用加湿装置の加湿送風風速変更時の風速設定を示すグラフ
【図１７】同画像モニター用加湿装置の水分密度上昇手段を示した側面視断面図
【図１８】同画像モニター用加湿装置の水分密度上昇手段搭載時の構成を示したブロック図
【図１９】同画像モニター用加湿装置の瞬きタイミング指示手段の配置を示した正面図
【図２０】同画像モニター用加湿装置の瞬きタイミング指示手段搭載時の構成を示したブロック図
【図２１】同画像モニター用加湿装置の加湿水保持部分の構成を示した側視断面図
【図２２】従来の一般的な加湿装置示す側面視断面図
【符号の説明】
【００８１】
１    画像モニター装置本体
２    加湿手段
２３  太陽電池
２４  風向制御手段
２７  人体感知手段
３２  水分密度上昇手段
３７  瞬きタイミング指示手段
【図１】
2006292197.tif 000003
【図２】
2006292197.tif 000004
【図３】
2006292197.tif 000005
【図４】
2006292197.tif 000006
【図５】
2006292197.tif 000007
【図６】
2006292197.tif 000008
【図７】
2006292197.tif 000009
【図８】
2006292197.tif 000010
【図９】
2006292197.tif 000011
【図１０】
2006292197.tif 000012
【図１１】
2006292197.tif 000013
【図１２】
2006292197.tif 000014
【図１３】
2006292197.tif 000015
【図１４】
2006292197.tif 000016
【図１５】
2006292197.tif 000017
【図１６】
2006292197.tif 000018
【図１７】
2006292197.tif 000019
【図１８】
2006292197.tif 000020
【図１９】
2006292197.tif 000021
【図２０】
2006292197.tif 000022
【図２１】
2006292197.tif 000023
【図２２】
2006292197.tif 000024